【手続補正書】
【提出日】令和1年5月16日(2019.5.16)
【手続補正１】
【補正対象書類名】明細書
【補正対象項目名】００１７
【補正方法】変更
【補正の内容】
【００１７】
ルアー１０が水中で遊泳する際、スカート２２は、水流及び後述するチャーム部材３の揺動の影響により主部２１の後方で上下左右に揺動する。釣針２３は、このスカート２２によって覆い隠されるように設けられており、本実施形態では、主部２１の後端部から後方に延設されている。
釣針２３の形状は特に限定されず、例えば、１つ又は複数のフックを有する釣針２３を用いることができる。もっとも、フックの数が多くなればスカート２２を構成する紐状部材が釣針２３に引っ掛かり易くなり、スカート２２が短期間で破損する虞がある。そのため、１〜３つのフックを有する釣針２３を用いることが好ましく、図１に示すように１つのフックを有する釣針２３（一般的に、シングルフックと称される）を用いることがより好ましい。フックの先端２３１（針先）の位置は特に限定されないが、図１に示すようにフックの先端２３１を主部２１よりも上方に位置させることにより、釣針２３が対象魚の口腔内により引っ掛かり易くなる。
なお、チャーム部材３によって対象魚のルアー本体２に対する食いつきが妨害されないよう、釣針２３のフックの先端２３１はチャーム部材３の後端部よりも後方に位置することが好ましい。
【手続補正２】
【補正対象書類名】明細書
【補正対象項目名】００２７
【補正方法】変更
【補正の内容】
【００２７】
本実施形態では、チャーム部材３は、連結部５（第１環部１４、第２環部３１、及びリング部材４）を介して鎖状に連結されている。そのため、チャーム部材３は、連結部５とチャーム部材３の中心Ｏを結ぶ軸心Ｒ１の周りを回転可能であると共にその回転量が所定範囲に規制される。なお、本実施形態では、連結部５は第１環部１４、第２環部３１、及びリング部材４を有しているが、軸心Ｒ１を規定する際にチャーム部材３の中心Ｏと結ばれる部分は、第２環部３１の前端部である。
本実施形態では、チャーム部材３は、軸心Ｒ１の周りを回転可能であるが、チャーム部材３が回転すると第２環部３１もそれに伴って軸心Ｒ１の周りを回転する。しかしながら、リング部材４は、チャーム部材３に固定されていないため、チャーム部材３の回転に連動して回転しない。そのため、チャーム部材３が回転すると、図６に示すように、第２環部３１とリング部材４が干渉し、チャーム部材３の回転量が所定範囲に規制される。
ここで、「チャーム部材３の回転量が所定範囲に規制される」とは、具体的には、チャーム部材３が軸心Ｒ１の周りを１回転未満しか回転しないことである。チャーム部材３が一回転するとは、図７（ａ）に示すようにチャーム部材３の周面における任意の一点を基準点Ｘと規定し、図７（ｂ）に示すようにチャーム部材３を軸心Ｒ１の周りで回転させると、基準点Ｘが３６０°回転して再び同位置（図７（ａ）と同じ状態）に戻ることを意味する。即ち、チャーム部材３が１回転未満しか回転しないとは、基準点Ｘが軸心Ｒ１の周りで３６０°回転しないこと（基準点Ｘが回転して同位置に戻らないこと）を意味する。
なお、図７（ｂ）では、便宜的に、チャーム部材３を後方から見て左周りに回転させているが、チャーム部材３を右周りに回転させた場合でも同様である。また、基準点Ｘは、チャーム部材３がニュートラルな状態（チャーム部材３が右周りにも左周りにも回転していない、即ち右周りにも左周りにも同程度回転し得る状態）で定められる。
【手続補正３】
【補正対象書類名】明細書
【補正対象項目名】００２９
【補正方法】変更
【補正の内容】
【００２９】
このように、チャーム部材３が軸心Ｒ１の周りで１回転しない場合、図９（ａ）に示すように、チャーム部材３の前方から後方へ流れる水流Ｓが、チャーム部材３の後端部近傍において上述したカルマン渦様の乱流を生じ易くなると考えられ、その結果、チャーム部材３が図９（ｂ）に示すように上下左右に不規則に揺動すると考えられる。
チャーム部材３の回転角（軸心Ｒ１の周りでチャーム部材３を回転させた際に基準点Ｘがとり得る回転角）の上限は、好ましくは３００°（５／６回転）であり、より好ましくは２７０°（３／４回転）であり、さらに好ましくは２４０°（２／３回転）であり、特に好ましくは１８０°（１／２回転）である。また、チャーム部材３の回転角の下限は、通常３０°（１／１２回転）であり、好ましくは６０°（１／６回転）であり、より好ましくは９０°（１／４回転）であり、さらに好ましくは１２０°（１／３回転）であり、特に好ましくは１５０°（５／１２）回転である。
本発明者の知見によれば、チャーム部材３の回転角が上述の範囲であれば、チャーム部材３の後端部近傍にカルマン渦様の乱流が生じ易くなるため、チャーム部材３を不規則に揺動させ易くなる。
なお、上述したチャーム部材３の回転角は、チャーム部材３を人為的に回転させた（具体的には、チャーム部材を摘んで任意の方向に回転させた）際にとり得る角度である。本発明者の知見によれば、実際に本発明のルアー１０を水中で遊泳させた際は、チャーム部材３は水流によって殆ど回転することなく上下左右に揺動する。
【手続補正４】
【補正対象書類名】明細書
【補正対象項目名】００３１
【補正方法】変更
【補正の内容】
【００３１】
なお、第１環部１４の内径は、第１環部１４の内縁の第１点と、前記第１点とは独立した第１環部１４の内縁の第２点と、を結んだ直線の長さである。このような直線は無数に想定されるが、無数に想定される直線のうち長さが最大となるものが第１環部１４の内径に相当する。第２環部３１の内径、及びリング部材４の内径についても同様である。
図１０（ａ）に示す通り、本実施形態では、第１環部１４は上面視水滴形の環状構造を有しており、環状構造の前端に位置する内縁の第１点ａと後端に位置する内縁の第２点ｂを結ぶ直線Ｙ１の長さが、第１環部１４の内径に相当する。
もっとも、第１環部１４の環状構造は特に限定されず、例えば、図１０（ｂ）に示すように、環状構造を真円形にすることもできる。この場合、環状構造の前端に位置する内縁の第１点ａと後端に位置する内縁の第２点ｂを結ぶ直線Ｙ２の長さは、真円の直径に相当する。その他、特に図示しないが、第１環部１４の内径は、その環状構造が楕円形である場合、楕円の長径に相当し、その環状構造が正方形である場合、正方形の対角線の長さに相当する。
【手続補正５】
【補正対象書類名】明細書
【補正対象項目名】００３４
【補正方法】変更
【補正の内容】
【００３４】
また、図１に示すように、アーム部材１の前端部（第３アーム部１３の前端部）から第１環部１４の後端部までの幅Ａと第１環部１４の後端部からチャーム部材３の後端部までの幅Ｃの比率（Ａ／Ｃ）は、０．８以上とされていることが好ましい。
幅Ａと幅Ｃの比率（Ａ／Ｃ）を０．８以上とすることにより、ルアー１０が沈下する際におけるチャーム部材３とミチ糸の絡まりを効果的に防止できる。
具体的には、ルアー１０を水中で沈下させると、図１１に示すように、アーム部材１の第３アーム部１３に結び付けられたミチ糸Ｌと第１アーム部１１に連結されたチャーム部材３が、共に上方に延びた状態となる。そして、沈下時においてチャーム部材３は前後に揺動するため、チャーム部材３とミチ糸Ｌが近すぎると、前方に大きく揺動したチャーム部材３がミチ糸Ｌに絡まる虞がある。
これに対し、幅Ａと幅Ｃの比率（Ａ／Ｃ）を０．８以上にすれば、ルアー１０が沈下する際にチャーム部材３が大きく前方に揺動しても、チャーム部材３とミチ糸は十分離れているため絡まり難い。幅Ａと幅Ｃの比率（Ａ／Ｃ）は、より好ましくは１．０以上であり、より好ましくは１．２以上である。幅Ａと幅Ｃの比率（Ａ／Ｃ）が１．０以上であれば、ルアー１０が沈下する際にチャーム部材３とミチ糸が殆ど接触しないため、より効果的にチャーム部材３とミチ糸の絡まりを防止できる。
幅Ａと幅Ｃの比率（Ａ／Ｃ）の上限値は特に限定されないが、通常、３．０であり、好ましくは２．０である。幅Ａと幅Ｃの比率（Ａ／Ｃ）が３．０より大きい場合、ルアー１０を遊泳させた際、チャーム部材３の揺動が効率的に第２アーム部１２に伝わらず、ルアー本体２を不規則に揺動させ難くなる虞がある。
【手続補正６】
【補正対象書類名】明細書
【補正対象項目名】００５０
【補正方法】変更
【補正の内容】
【００５０】
本実施形態では、図１６（ｂ）に示すように、切欠面３５の背面視形状が真円形であるが、切欠面３５の背面視形状は特に限定されず、正方形や六角形などの多角形、真円形や楕円形などの円形、不定形などを採用することができる。もっとも、本発明者の知見によれば、チャーム部材３が不規則に揺動し易くなることから、切欠面３５の背面視形状は、円形が好ましく、真円形又は楕円形がより好ましく、真円形が特に好ましい。なお、円形は、真円形だけでなく、楕円形やその他大凡円形と認められる不定形を含んでいる。
また、本発明者の知見によれば、チャーム部材３の表面積に対して切欠面３５の表面積の占める割合は、５％〜２０％であることが好ましく、５％〜１５％であることがより好ましく、８％〜１５％であることがさらに好ましい。切欠面３５の占める面積をこの範囲内とすれば、チャーム部材３がより不規則に揺動し易くなる。
チャーム部材３の後端部にこのような切欠面３５を設けることでチャーム部材３がより不規則に揺動し易くなる理由は明確ではないが、本発明者の推測によれば、切欠面３５を設けることにより上述したカルマン渦様の乱流が発生し易くなる、又は、チャーム部材３がカルマン渦様の乱流の影響を受け易くなると考えられる。
なお、特に図示しないが、本実施形態では平面以外の切欠面３５を採用することもでき、例えば、チャーム部材３の内側に窪んだ曲面を切欠面３５とすることもできる（図示せず）。